(57)【要約】【課題】光ディスクにデータが記録された日時および記録されたデータの内容が目視可能となる光ディスクを作成可能にする。【解決手段】光ディスク１７のデータ記録面にレーザ光を照射することによって、光ディスク１７に、データの記録を行うとともに目視可能な文字の形成を行う構成において、前記目視可能な文字によって、光ディスク１７にデータが記録された日時および記録されたデータの内容を示すようにしている。【選択図】  図１
2006066024.tif 000002
【特許請求の範囲】
【請求項１】
光ディスクのデータ記録面にレーザ光を照射することによって、光ディスクに、タイトルを単位としてデータの記録を行うとともに目視可能な文字の形成を行う光ディスク記録装置において、
前記目視可能な文字によって、光ディスクにデータが記録された日時および記録されたタイトルを示すとともに光ディスクに記録されたタイトルのそれぞれの記録時間と光ディスクに記録されたデータの圧縮方式と光ディスクの種類との３種の情報のうちからユーザによって選択された情報を示し、
文字形成モードと通常モードとの２つのモードのうちの文字形成モードとなるときには前記目視可能な文字の形成を行い、前記２つのモードのうちの通常モードとなるときには前記目視可能な文字の形成を取り止め、
形成される目視可能な文字数の上限値が設定され、
光ディスクにデータが記録された日時と記録されたタイトルと前記３種の情報のうちからユーザによって選択された情報とを示すのに必要な目視可能な文字数が前記上限値を超えるときには、選択した情報の項目数が過多となっていることを示すメッセージを表示することを特徴とする光ディスク記録装置。
【請求項２】
光ディスクのデータ記録面にレーザ光を照射することによって、光ディスクに、データの記録を行うとともに目視可能な文字の形成を行う光ディスク記録装置において、
前記目視可能な文字によって、光ディスクにデータが記録された日時および記録されたデータの内容を示すことを特徴とする光ディスク記録装置。
【請求項３】
文字形成モードと通常モードとの２つのモードのうちの文字形成モードとなるときには前記目視可能な文字の形成を行い、前記２つのモードのうちの通常モードとなるときには前記目視可能な文字の形成を取り止めることを特徴とする請求項２に記載の光ディスク記録装置。
【請求項４】
光ディスクへのデータの記録はタイトルを単位として行われ、
前記記録されたデータの内容はタイトルによって示されることを特徴とする請求項２または請求項３に記載の光ディスク記録装置。
【請求項５】
前記目視可能な文字によって、光ディスクに記録されたタイトルのそれぞれの記録時間を示すことを特徴とする請求項４に記載の光ディスク記録装置。
【請求項６】
前記目視可能な文字によって、光ディスクに記録されたデータの圧縮方式を示すことを特徴とする請求項２から請求項５までのいずれかに記載の光ディスク記録装置。
【請求項７】
前記目視可能な文字によって、光ディスクの種類を示すことを特徴とする請求項２から請求項６までのいずれかに記載の光ディスク記録装置。
【発明の詳細な説明】
【技術分野】
【０００１】
本発明は、光ディスクのデータ記録面にレーザ光を照射することによって、データの記録を行うとともに目視可能な文字の形成を行う光ディスク記録装置に係り、より詳細には、目視可能な文字によって、光ディスクにデータが記録された日時および記録されたデータの内容を示す光ディスク記録装置に関するものである。
【背景技術】
【０００２】
ＤＶＤレコーダの普及に伴い、商用放送の番組をＤＶＤに記録して保存することが多くなっているが、番組の記録済みのＤＶＤの数が多くなると、各ＤＶＤの記録内容を覚えていることができなくなる。また、番組を記録済みのＤＶＤの寿命については、数１０年は大丈夫であるとされているが、それだけの年数が経過する以前に、新しいメディアに移し変える方が、より安全である。このため、ＤＶＤに番組を記録した場合、ＤＶＤに番組を記録した日時（ハードディスクに一度記録した後、ＤＶＤにダビングしたときでは、ダビングした日時）と、記録した番組名とをＤＶＤのラベルに記載することによって、上記した問題に対処している（第１の従来技術とする）。
【０００３】
また、以下に示す技術が提案されている（第２の従来技術とする）。すなわち、この技術においては、データの記録が可能な光ディスク（例えば、ＣＤ−Ｒ）の変色層に照射するレーザ光の照射タイミングを制御することによって、光ディスクの記録面に、目視可能な文字画像を形成することが開示されている。また、暗号キーを用いて暗号化されたデータを記録する場合には、暗号化されたデータを記録した光ディスクに、暗号化を解除するための暗号キーを、目視可能な文字画像として形成することも、併せて開示されている（例えば、特許文献１参照）。
【０００４】
また、以下に示す技術が提案されている（第３の従来技術とする）。すなわち、この技術においては、光ディスクにデータを記録するとともに、ファイナライズを終了したときには、記録したセッションの数と、ファイナライズが完了したことを示す文字とを、レーザ光を用いて、光ディスクの記録面に形成することが開示されている（例えば、特許文献２参照）。
【特許文献１】特開２００４−３０８３６号公報（第００４７−００６８段落）
【特許文献２】特開２００２−２８８３８６号公報
【発明の開示】
【発明が解決しようとする課題】
【０００５】
しかしながら、第１の従来技術を用いる場合には、以下に示す問題を生じていた。すなわち、番組を記録する毎に、記録した日時や番組名をＤＶＤのラベルに記入する作業、あるいは、番組のダビングが終了したとき、ダビングした日時や番組名を光ディスクのラベルに記入する作業は、多くの場合、煩わしい作業となる。このため、番組が記録されているにもかかわらず、番組名や日時が記入されない光ディスクがたまることが多く、以後の整理においては、光ディスクを再生して記録内容を確認し、置き場所を決めるといったような、煩わしい作業をしなければならなかった。
【０００６】
第２の従来技術は、記録面に形成された目視可能な文字を用いて、記録内容の暗号化を解除するための暗号キーを示すようになっているに過ぎない。このため、第１の従来技術において生じた問題を解決しようとする観点からは、適用することが困難な技術となっている。
【０００７】
第３の従来技術は、記録面に形成された目視可能な文字によって、記録されたセッションの数や、ファイナライズの完了を示すようになっているに過ぎない。このため、第１の従来技術において生じた問題を解決しようとする観点からは、適用することが困難な技術となっている。
【０００８】
本発明は、上記の問題点を解決するため創案されたものであり、その目的は、光ディスクにデータが記録された日時および記録されたタイトルが目視可能となる光ディスクを作成することのでき、且つ、光ディスクにデータが記録された日時および記録されたタイトルが目視可能となる光ディスクを作成可能とするときにも、記録可能な容量を減らすことなく光ディスクにデータを記録したいという要求に対応することのでき、且つ、光ディスクに記録されたタイトルのそれぞれの記録時間と光ディスクに記録されたデータの圧縮方式と光ディスクの種類とが目視可能となる光ディスクを作成することのできる光ディスク記録装置を提供することにある。
【０００９】
また本発明の目的は、光ディスクに形成した目視可能な文字によって、光ディスクにデータが記録された日時および記録されたデータの内容を示すことにより、光ディスクにデータが記録された日時および記録されたデータの内容が目視可能となる光ディスクを作成することのできる光ディスク記録装置を提供することにある。
【００１０】
また、上記目的に加え、２つのモードのうちの一方のモードとなるときには目視可能な文字の形成を行い、他方のモードとなるときには目視可能な文字の形成を取り止めることにより、光ディスクにデータが記録された日時および記録されたデータの内容が目視可能となる光ディスクを作成可能とするときにも、記録可能な容量を減らすことなく光ディスクにデータを記録したいという要求に対応することのできる光ディスク記録装置を提供することにある。
【００１１】
また、上記目的に加え、光ディスクへのデータの記録をタイトルを単位として行うときに、記録内容を好適に示す光ディスクを作成することのできる光ディスク記録装置を提供することにある。
【００１２】
また、上記目的に加え、光ディスクに記録されたタイトルのそれぞれの記録時間が目視可能となる光ディスクを作成することのできる光ディスク記録装置を提供することにある。
【００１３】
また、上記目的に加え、光ディスクに記録されたデータの圧縮方式が目視可能となる光ディスクを作成することのできる光ディスク記録装置を提供することにある。
【００１４】
また、上記目的に加え、光ディスクの非記録面がプリント可能な白色面となっていて、ディスクの種類を示す情報が印字されていないディスクとなるときにも、ディスクの種類が目視可能となる光ディスクを作成することのできる光ディスク記録装置を提供することにある。
【課題を解決するための手段】
【００１５】
上記の課題を解決するため、本発明に係る光ディスク記録装置は、光ディスクのデータ記録面にレーザ光を照射することによって、光ディスクに、タイトルを単位としてデータの記録を行うとともに目視可能な文字の形成を行う光ディスク記録装置に適用している。そして、前記目視可能な文字によって、光ディスクにデータが記録された日時および記録されたタイトルを示すとともに光ディスクに記録されたタイトルのそれぞれの記録時間と光ディスクに記録されたデータの圧縮方式と光ディスクの種類との３種の情報のうちからユーザによって選択された情報を示し、文字形成モードと通常モードとの２つのモードのうちの文字形成モードとなるときには前記目視可能な文字の形成を行い、前記２つのモードのうちの通常モードとなるときには前記目視可能な文字の形成を取り止め、形成される目視可能な文字数の上限値が設定され、光ディスクにデータが記録された日時と記録されたタイトルと前記３種の情報のうちからユーザによって選択された情報とを示すのに必要な目視可能な文字数が前記上限値を超えるときには、選択した情報の項目数が過多となっていることを示すメッセージを表示するようになっている。
【００１６】
すなわち、光ディスクにデータが記録された日時および記録されたタイトルが、光ディスクに形成された目視可能な文字によって示される。また、通常モードとするときでは、目視可能な文字が形成されないので、データエリアの全てをデータの記録に使用することができる。また、タイトルのそれぞれの記録時間と圧縮方式とディスクの種類とが目視可能な光ディスクとなる。また、形成が必要な文字数が上限値を超えるときには、文字数が上限値を超えたことを示すメッセージが表示される。
【００１７】
また、本発明に係る光ディスク記録装置は、光ディスクのデータ記録面にレーザ光を照射することによって、光ディスクに、データの記録を行うとともに目視可能な文字の形成を行う光ディスク記録装置に適用している。そして、前記目視可能な文字によって、光ディスクにデータが記録された日時および記録されたデータの内容を示すようになっている。すなわち、光ディスクにデータが記録された日時および記録されたデータの内容が、光ディスクに形成された目視可能な文字によって示される。
【００１８】
また、上記構成に加え、文字形成モードと通常モードとの２つのモードのうちの文字形成モードとなるときには前記目視可能な文字の形成を行い、前記２つのモードのうちの通常モードとなるときには前記目視可能な文字の形成を取り止めるようになっている。すなわち、通常モードとするときでは、目視可能な文字が形成されないので、データエリアの全てをデータの記録に使用することができる。
【００１９】
また、上記構成に加え、光ディスクへのデータの記録はタイトルを単位として行われ、前記記録されたデータの内容はタイトルによって示されるようになっている。すなわち、記録されたデータの内容がタイトルによって示されることになる。
【００２０】
また、上記構成に加え、前記目視可能な文字によって、光ディスクに記録されたタイトルのそれぞれの記録時間を示すようになっている。すなわち、タイトルのそれぞれの記録時間が目視可能な光ディスクとなる。
【００２１】
また、上記構成に加え、前記目視可能な文字によって、光ディスクに記録されたデータの圧縮方式を示すようになっている。すなわち、圧縮方式が目視可能な光ディスクとなる。
【００２２】
また、上記構成に加え、前記目視可能な文字によって、光ディスクの種類を示すようになっている。すなわち、ディスクの種類が目視可能な光ディスクとなる。
【発明の効果】
【００２３】
本発明によれば、光ディスクにデータが記録された日時および記録されたタイトルが、光ディスクに形成された目視可能な文字によって示される。また、通常モードとするときでは、データエリアの全てをデータの記録に使用することができる。また、タイトルのそれぞれの記録時間と圧縮方式とディスクの種類とが目視可能な光ディスクとなる。また、形成が必要な文字数が上限値を超えるときには、文字数が上限値を超えたことを示すメッセージが表示される。このため、光ディスクにデータが記録された日時および記録されたタイトルが目視可能となる光ディスクを作成することができ、且つ、光ディスクにデータが記録された日時および記録されたタイトルが目視可能な光ディスクを作成可能とするときにも、記録可能な容量を減らすことなく光ディスクにデータを記録したいという要求に対応することができ、且つ、光ディスクに記録されたタイトルのそれぞれの記録時間と光ディスクに記録されたデータの圧縮方式とディスクの種類とが目視可能となる光ディスクを作成することができる。
【００２４】
また、本発明によれば、光ディスクにデータが記録された日時および記録されたデータの内容が、光ディスクに形成された目視可能な文字によって示されるので、光ディスクにデータが記録された日時および記録されたデータの内容が目視可能となる光ディスクを作成することができる。
【００２５】
また、さらに、通常モードとするときでは、目視可能な文字が形成されないので、データエリアの全てをデータの記録に使用することができる。このため、データが記録された日時および記録されたデータの内容が目視可能となる光ディスクを作成可能とするときにも、記録可能な容量を減らすことなくデータを記録したいという要求に対応することができる。
【００２６】
また、さらに、記録されたデータの内容がタイトルによって示されるので、光ディスクへのデータの記録をタイトルを単位として行うときに、記録内容を好適に示す光ディスクを作成することができる。
【００２７】
また、さらに、目視可能な文字によってタイトルのそれぞれの記録時間が示されるので、光ディスクに記録されたタイトルのそれぞれの記録時間が目視可能となる光ディスクを作成することができる。
【００２８】
また、さらに、目視可能な文字によって、光ディスクに記録されたデータの圧縮方式が示れるので、光ディスクに記録されたデータの圧縮方式が目視可能となる光ディスクを作成することができる。
【００２９】
また、さらに、目視可能な文字によって、光ディスクの種類が示されるので、光ディスクの非記録面がプリント可能な白色面となっていて、ディスクの種類を示す情報が印字されていないディスクとなるときにも、ディスクの種類が目視可能となる光ディスクを作成することができる。
【発明を実施するための最良の形態】
【００３０】
以下、本発明の実施の形態について図を参照して説明する。
【００３１】
図１は、本発明に係る光ディスク記録装置の一実施形態を適用したハードディスクドライブ一体型ＤＶＤレコーダの電気的構成を示すブロック線図である。
【００３２】
図において、チューナ部１は、マイクロコンピュータ（以下では、単にマイコンと称する）５から指示されたチャンネルのアナログ商用放送を受信する。そして、受信により得られたアナログ信号の映像音声信号を録再信号処理部４に出力する。
【００３３】
ディスクドライブ部２は、録再信号処理部４から出力される映像音声情報を、所定処理した後に、データを記録可能なＤＶＤ（請求項記載の光ディスクであり、ＤＶＤ−Ｒ、ＤＶＤ−ＲＷ、ＤＶＤ−ＲＡＭ、ＤＶＤ＋Ｒ、ＤＶＤ＋ＲＷ等）１７に記録する。また、ＤＶＤ（ＤＶＤ−ビデオ、ＤＶＤ−Ｒ、ＤＶＤ−ＲＷ、ＤＶＤ−ＲＡＭ、ＤＶＤ＋Ｒ、ＤＶＤ＋ＲＷ等）１７に記録された情報を再生するとともに、再生した情報を所定処理して得られた映像音声情報を録再信号処理部４に出力する。また、データを記録可能なＣＤ（請求項記載の光ディスクであり、ＣＤ−Ｒ、ＣＤ−ＲＷ等）に音声信号をを記録する。また、ＣＤ（オーディオＣＤ、ＣＤ−Ｒ、ＣＤ−ＲＷ等）に記録された音声信号を再生して出力する。
【００３４】
また、ディスクドライブ部２は、マイコン５からの指示に従って、ＤＶＤ（あるいはＣＤ）１７の記録面に、データの記録用のレーザ光を照射することにより、ＤＶＤ１７の記録面に目視可能な文字を形成する。
【００３５】
ハードディスクドライブ部（以下ではＨＤＤ部と称する）３は、録再信号処理部４から出力される映像音声情報を記録する。また、記録した映像音声情報を再生して録再信号処理部４に出力する。また、記録した映像音声情報のそれぞれについての情報（タイトルや、タイトルのそれぞれについての記録時間、等）をマイコン５に出力する。また、記録したタイトルのそれぞれについて、データの圧縮方式がＭＰＥＧ２方式であるのか、あるいは、ＤＩＶ−Ｘ方式であるのかを、マイコン５に知らせる。
【００３６】
録再信号処理部４は、アナログ放送の受信となるときには、チューナ部１が出力する映像音声信号を、装置本体の外部に設けられたテレビ受像機１８に送出する。また、アナログ放送の記録となるときには、チューナ部１が出力する映像音声信号を、Ａ／Ｄ変換して後、ＭＰＥＧ２方式またはＤＩＶ−Ｘ方式で圧縮して得られた映像音声情報を、ディスクドライブ部２やＨＤＤ部３に出力する。
【００３７】
また、ＨＤＤ部３に記録された映像音声情報やＤＶＤ１７に記録された映像音声情報の再生となるときには、ＨＤＤ部３が出力する映像音声情報、あるいは、ディスクドライブ部２が出力する映像音声情報を伸長して後、Ｄ／Ａ変換して得られた映像音声信号をテレビ受像機１８に出力する。
【００３８】
また、ダビングとなるときには、ディスクドライブ部２が出力する映像音声情報をＨＤＤ部３に転送、あるいは、ＨＤＤ部３が出力する映像音声情報をディスクドライブ部２に転送する。なお、映像音声情報を転送するときには、必要に応じて、データの圧縮方式を、ＭＰＥＧ２方式からＤＩＶ−Ｘ方式に、あるいは、ＤＩＶ−Ｘ方式からＭＰＥＧ２方式に変換する。
【００３９】
入力部６は、装置本体の前面パネル（図示を省略）に設けられた電源キー等のキースイッチや、リモートコントローラ（以下では、リモコンと称する）７から送信される赤外線信号を受光する受光ユニット等を備えており、ユーザからの指示が入力されると、入力された指示をマイコン５に出力する。
【００４０】
マイコン５は、ハードディスクドライブ一体型ＤＶＤレコーダとしての主要動作を制御する。すなわち、ＤＶＤ１７を記録媒体として使用するＤＶＤモードとなるときには、再生の指示がリモコン７に入力されると、録再信号処理部４とディスクドライブ部２との動作を制御することによって、ＤＶＤ１７に記録された映像音声情報を再生した後、所定処理して得られた映像音声信号をテレビ受像機１８に出力する（ＤＶＤ１７に記録された映像音声情報をテレビ受像機１８に表示する）。また、記録の指示がリモコン７に入力されると、チューナ部１が出力するアナログ信号の映像音声信号等を、映像音声情報に変換してＤＶＤ１７に記録する。
【００４１】
また、ＨＤＤ部３を記録媒体として使用するＨＤＤモードとなるときには、再生の指示がリモコン７に入力されると、録再信号処理部４とＨＤＤ部３との動作を制御することによって、ＨＤＤ部３に記録された映像音声情報を再生した後、所定処理して得られた映像音声信号をテレビ受像機１８に出力する（ＨＤＤ部３に記録された映像音声情報をテレビ受像機１８に表示する）。また、記録の指示がリモコン７に入力されると、チューナ部１が出力するアナログ信号の映像音声信号等を、映像音声情報に変換して、ＨＤＤ部３に記録する。
【００４２】
また、マイコン５は、ＨＤＤ部３に記録された映像音声情報をＤＶＤ１７にダビングするための制御、および、ＤＶＤ１７に記録された映像音声情報をＨＤＤ部３にダビングするための制御を行う。
【００４３】
また、マイコン５は、文字形成モードと通常モードとの２つのモードのうち、文字形成モードとなるときには、ＨＤＤ部３に記録された映像音声情報をＤＶＤ１７にダビングした場合、あるいは、チューナ部１が出力する映像音声信号をＤＶＤ１７に記録した場合、ディスクドライブ部２を制御することによって、映像音声情報をダビングあるいは記録した日時を示す文字と、ダビングあるいは記録した映像音声情報に含まれるタイトルを示す文字とを、ＤＶＤ１７の記録面に、目視可能に形成する。
【００４４】
ここで、ＤＶＤ１７の記録面に目視可能な文字を形成する方法について説明すると、図２に示したように、１つの放射方向３１を基準方向として、基準方向３１からの角度の隔たり３２を一方の座標とし、基準となるトラック３３に対する隔たり（トラック数として示される）３４を他方の座標とする座標系を用い、形成する文字に対応する座標位置の反射率を、データ記録用のレーザ光を用いて変えることにより、ＤＶＤ１７の記録面に目視可能な文字を形成する（このような文字の形成方法は、従来技術と同一の形成方法であり、上記した特許文献１の段落００５３〜００６７においても、開示されている）。
【００４５】
なお、目視可能な文字により示される情報には、ダビング（記録）した日時と、ダビング（記録）した映像音声情報におけるタイトルとが必ず含まれるようになっているが、さらに、タイトルのそれぞれ毎の記録時間（例えば、３０分、あるいは、１時間０分といった情報）や、映像音声情報の圧縮方式（例えば、ＭＰＥＧ２、あるいは、ＤＩＶ−Ｘといった情報）や、ＤＶＤ１７の種類を示す情報（例えば、ＤＶＤ−Ｒ、ＤＶＤ−ＲＷ、ＤＶＤ−ＲＡＭ、ＤＶＤ＋Ｒ、ＤＶＤ＋ＲＷ、ＣＤ−Ｒ、ＣＤ−ＲＷ等といった情報）の３種の情報から、任意の情報の項目を選んで追加できるようになっている。
【００４６】
また、目視可能な文字は、半径方向において、データ領域の最外周側から内周側に向かう幅５ｍｍ程度のリング状の領域（図３の１７１により示す）に形成されるようになっている。また、文字の大きさとしては、約５ｍｍ平方の範囲に収まる大きさが採用されている。従って、形成可能な文字数については上限があり、本実施形態ではその上限値を６０文字としている。このため、追加された情報の関係により、形成する必要のある文字数が６０文字を超える場合、マイコン５は、文字数が上限を超えたために、選択された情報の全てを示すことは不能であることを示すメッセージをテレビ受像機１８に表示する（図５（Ｂ）の４１を参照）。
【００４７】
図４は、ＨＤＤ部３に記録された映像音声情報をＤＶＤ１７にダビングするときの実施形態の主要動作を示すフローチャートである。必要に応じて同図を参照しつつ、実施形態の動作を説明する。
【００４８】
リモコン７等を用いてダビングの指示を入力すると（ステップＳ１）、マイコン５は、録再信号処理部４に設けられたオンスクリーンディスプレイ回路（図示を省略）を制御することによって、ＨＤＤ部３に記録されたタイトルの一覧（図示を省略）を表示する。ユーザは、一覧表示されたタイトルから、ダビングしたいタイトルを選択する（ステップＳ２）。タイトルの選択が終了すると、マイコン５は、ＤＶＤ１７のリング状の領域１７１の文字によって示す情報を選択するための画面を表示する（ステップＳ３）。
【００４９】
図５（Ａ）は、このときに表示される画面を示しており、選択可能な情報としては、ダビングした日時とダビングしたタイトル、タイトル毎の記録時間、圧縮方式、および、ディスクの種類の４種の項目が表示される。ユーザは、これらの項目から、文字によって示したい情報を選択する（ステップＳ４）。
【００５０】
なお、この画面表示においては、ＤＶＤ１７にダビングするときの圧縮方式が、具体的にどの圧縮方式となっているかが表示される（４２により示す）。また、ＤＶＤ１７の種類については、そのときにディスクドライブ部２に収納されているＤＶＤ１７の種類が表示される（４３により示す）。
【００５１】
そして、『日時とタイトル』の項目において、『表示』を選択した場合には、文字形成モードと通常モードとのうち、文字形成モードに設定される。つまり、リング状の領域１７１に目視可能な文字を形成するモードに設定される。また、文字形成モードとなるときでは、タイトル毎の記録時間、圧縮方式、および、ディスクの種類の３種の情報のうち、任意の情報を、追加項目として選択することができる。
【００５２】
一方、『日時とタイトル』の項目において、『非表示』を選択した場合には、文字形成モードと通常モードとのうち、通常モードに設定される。つまり、リング状の領域１７１に文字を形成しないモードに設定される。そして、通常モードに設定された場合、ＤＶＤ１７のリング状の領域１７１には、文字は形成されない。このため、タイトル毎の記録時間、圧縮方式、および、ディスクの種類の３つの情報については、自動で、『非表示』が選択される。
【００５３】
情報の選択が終了すると、マイコン５は、文字形成モードに設定されたのか、あるいは、通常モードに設定されたのをかを調べる。そして、文字形成モードに設定されたことが判明した場合、選択された情報の表示に必要となる文字の総数を算出し、算出した値が、上限値の６０文字を超えていないかどうかを調べる（ステップＳ５，Ｓ６）。そして、文字の総数が６０文字を超えているときには、図５（Ｂ）の４１に示すように、文字数が、リング状の領域１７１に形成可能な６０文字を超えたことを示すメッセージを表示する（ステップＳ７，Ｓ１６）。そして後、動作をステップＳ４に移行し、表示する情報の種類の削除、または、表示する情報の新たなる選択を促す。
【００５４】
表示する文字数が上限値である６０文字以内となるときには、リング状の領域１７１を、書き込み禁止領域に設定する。また、データエリアからリング状の範囲１７１を差し引いた記録容量を、そのときのＤＶＤ１７の記録容量に設定する（ステップＳ８）。次いで、ステップＳ２において選択されたタイトルを、ＨＤＤ部３から読み出して、ＤＶＤ１７にダビングする（ステップＳ９）。そして後には、選択された情報を示す文字を、リング状の領域１７１の形成する（ステップＳ１０）。
【００５５】
いま、ステップＳ４において、『日時とタイトル』、『タイトル毎の記録時間』、『圧縮方式』、『ディスクの種類』の全てが選択されたとすると、リング状の領域１７１には、図３に示す文字が形成される。すなわち、ダビングの日時を示す文字が形成される（１７２により示す）。また、ダビングされたタイトルを示す文字が形成される（１７３により示す）。また、タイトル毎の記録時間を示す文字が形成される（１７４により示す）。また、圧縮方式を示す文字が形成される（１７５により示す）。また、ＤＶＤ１７の種類を示す文字が形成される（１７６により示す）。
【００５６】
なお、図３では、タイトル、および、タイトル毎の記録時間については、１つのタイトル分に該当する文字のみが図示されているに過ぎないが、複数のタイトルがダビングされたときでは、複数のタイトル分の文字が形成される。なお、ステップＳ４において、『タイトル毎の記録時間』が選択されなかったときでは、１７４により示す文字の形成が省略される。また、『圧縮方式』が選択されなかったときでは、１７５により示す文字の形成が省略される。また、『ディスクの種類』が選択されなかったときでは、１７６により示す文字の形成が省略される。
【００５７】
一方、ステップＳ４において、『日時とタイトル』の項目の『非表示』を選択した場合には通常モードとなるので、動作は、ステップＳ５からステップＳ１５に移行し、ステップＳ２において選択されたタイトルのダビングが行われる。そして後には、リング状の領域１７１に文字を形成することなく、動作を終了する。
【００５８】
なお、リング状の領域１７１の文字によって表示する情報を選択するための画面表示（ステップＳ３）においては、ディスクドライブ部２に収納されたＤＶＤ１７がＣＰＲＭ対応のＤＶＤとなっている場合、図５（Ｃ）に示したように、ディスクの種類が表示される（４４により示す）とともに、ＣＰＲＭ対応であることも、併せて表示される（４５により示す）。なお、このときでは、リング状の領域１７１にも、ＣＰＲＭ対応であることを示す文字が形成されるが、図５では、この文字は図示されていない。
【００５９】
図６は、受信した番組をＤＶＤに記録するときの実施形態の主要動作を示すフローチャートである。必要に応じて同図を参照しつつ、実施形態の動作を説明する。なお、図４に示すステップと同一となるステップには、図４における符号と同一符号を付与し、説明を省略する。
【００６０】
リモコン７等を用いて、チューナ部１が受信した番組の記録の指示を入力すると（ステップＳ２１）、マイコン５は、録再信号処理部４のオンスクリーンディスプレイ回路（図示を省略）を制御することによって、ＤＶＤ１７のリング状の領域１７１の文字によって示す情報を選択するための画面を表示する（ステップＳ３）。
【００６１】
情報の選択が終了し、文字形成モードとなったことが判明した場合、選択された情報の表示に必要となる文字の総数を算出し、算出した値が、上限値の６０文字を超えていないかどうかを調べる（ステップＳ５，Ｓ６）。そして、文字の総数が６０文字を超えているときには、４１に示すメッセージを表示する（ステップＳ７，Ｓ１６）。そして後、動作をステップＳ４に移行し、表示する情報の種類の削除、または、表示する情報の新たなる選択を促す。
【００６２】
表示する文字数が上限値である６０文字以内となるときには、リング状の領域１７１を、書き込み禁止領域に設定する。また、データエリアからリング状の範囲１７１を差し引いた記録容量を、そのときのＤＶＤ１７の記録容量に設定する（ステップＳ８）。次いで、ステップＳ２１において指示された番組をＤＶＤ１７に記録する（ステップＳ２９）。そして後には、選択された情報を示す文字を、リング状の領域１７１に形成する（ステップＳ１０）。
【００６３】
一方、ステップＳ４において、『日時とタイトル』の項目の『非表示』が選択され、通常モードとなったときには、動作は、ステップＳ５からステップＳ３５に移行し、ステップＳ２１において指示された番組のＤＶＤ１７への記録が行われる。そして後には、リング状の領域１７１に文字を形成することなく、動作を終了する。
【００６４】
以上説明したように、文字形成モードとなったときには、リング状の領域１７１は書き込み禁止領域に設定され、この領域にはデータの書き込みは行われない。一方、現在の製品の傾向としては、一部の製品において、記録層の形成にむらがあり、データエリアの外周側近傍の範囲（リング状の範囲１７１）にデータを記録した場合、エラーの発生率が高くなることが報告されている。しかし、文字形成モードとなるときには、リング状の範囲１７１へのデータの書き込みが行われなくなるので、エラーの発生率が高くなるという事態の発生を回避できるという効果も併せて得ることができる。
【００６５】
なお、上記説明においては、光ディスク１７が、映像音声情報を記録可能なＤＶＤである場合について説明したが、光ディスク１７が、音声信号を記録可能なＣＤであるときにも、同様となる。なお、このときでは、光ディスク１７には、映像音声情報ではなく、音声信号が記録される。また、タイトルは各トラックの曲名となる。
【００６６】
なお、本発明は上記実施形態に限定されず、最大文字数については、６０文字とした場合について説明したが、その他の文字数とすることができる。
【００６７】
また、光ディスク記録装置の一実施形態をハードディスクドライブ一体型ＤＶＤレコーダに適用した場合について説明したが、光ディスクにデータを記録する機能を備えたその他の装置（例えば、ＤＶＤレコーダ等）にも、同様に適用することができる。
【図面の簡単な説明】
【００６８】
【図１】本発明に係る光ディスク記録装置の一実施形態を適用したハードディスクドライブ一体型ＤＶＤレコーダの電気的構成を示すブロック線図である。
【図２】目視可能な文字を形成するときに用いる座標を示す説明図である。
【図３】ＤＶＤに形成された目視可能な文字を示す説明図である。
【図４】ダビング時の実施形態の主要動作を示すフローチャートである。
【図５】目視可能な文字によって示す情報を選択するときの画面表示を示す説明図である。
【図６】番組をＤＶＤに記録するときの実施形態の主要動作を示すフローチャートである。
【符号の説明】
【００６９】
１７  ＤＶＤ（光ディスク）
１７１  目視可能な文字が形成される領域
１７２〜１７６  形成された目視可能な文字
Ｓ４  目視可能な文字によって示す情報を選択するステップ
Ｓ１０  目視可能な文字を形成するステップ
【図１】
2006066024.tif 000003
【図２】
2006066024.tif 000004
【図３】
2006066024.tif 000005
【図４】
2006066024.tif 000006
【図５】
2006066024.tif 000007
【図６】
2006066024.tif 000008